(57)【要約】【課題】蓋体１３に対してペンポイント６１ａが摺接しない構造の開閉蓋付の万年筆１を得る。【解決手段】軸筒４の内部にペン６１とペン芯６２とを重ねたペン先６を前方に備えた筆記体８を前後動可能に収容し、軸筒４内に配設した弾発部材１４の弾発力により軸筒４の前方を閉塞する蓋体１３を備え、軸筒４に設けた操作部５を操作することにより筆記体８の前方部で蓋体１３を押動して開放する構造の万年筆１であって、  蓋体１３の裏面１３ｃに、筆記体８が前進する際にペン芯６２が当接する突出部１３ｄを設ける。【選択図】図２
2018167472.tif 000002
【特許請求の範囲】
【請求項１】
軸筒の内部にペンとペン芯とを重ねたペン先を前方に有した筆記体を前後動可能に収容し、該軸筒内に配設した弾発部材の弾発力により前記軸筒の前方を閉塞する蓋体を備え、前記軸筒に設けた操作部を操作することにより前記筆記体の前方部で前記蓋体を押動して開放する構造の万年筆であって、
前記蓋体の裏面に、前記筆記体が前進する際に前記ペン芯が当接する突出部を設けたことを特徴とした万年筆。
【発明の詳細な説明】
【技術分野】
【０００１】
本発明は、軸筒の内部に筆記体を収容し、開閉可能な蓋体で軸筒の前方を密閉する構造の万年筆に関する。
【背景技術】
【０００２】
従来より、軸筒の前方に蓋体を設けることでインキの乾燥防止や埃の侵入を防止する構造の万年筆は知られており、当該万年筆は軸筒に設けた操作体を操作することにより、軸筒内の筆記体を前進移動させてペン先で蓋体を押し開き、軸筒からペン先を突出させる構造の万年筆が、特許文献１（実開昭５８−３９８８９号公報）や特許文献２（特開２００７−１１８３４７号公報）で開示されている。
【先行技術文献】
【特許文献】
【０００３】
【特許文献１】実開昭５８−３９８８９号公報
【特許文献２】特開２００７−１１８３４７号公報
【発明の概要】
【発明が解決しようとする課題】
【０００４】
しかしながら、特許文献１や特許文献２に見られる万年筆では、磨耗を防止するためにペンの先端へ設けた硬いペンポイントが蓋体に摺接しながら、当該蓋体を開閉する構造になっており、筆記体が前進する際には、蓋体の裏面にペンポイントが摺接して該蓋体の裏面をすり減らすような力が働き、また筆記体が後退する際には、蓋体の前端部にペンポイントが触れてしまうこともある。
蓋体の裏面が硬いペンポイントの摺接で削れてしまった場合には、蓋体による気密性が悪くなってしまう虞があり、また筆記体が後退する際にペンポイントが蓋体に引っ掛かってしまった場合には、操作が滑らかでなくなってしまう虞があった。
【０００５】
本発明では、蓋体に対してペンポイントが摺接しない構造の開閉蓋付の万年筆を得ることを目的とする。
【課題を解決するための手段】
【０００６】
本発明は、
「軸筒の内部にペンとペン芯とを重ねたペン先を前方に有した筆記体を前後動可能に収容し、該軸筒内に配設した弾発部材の弾発力により前記軸筒の前方を閉塞する蓋体を備え、前記軸筒に設けた操作部を操作することにより前記筆記体の前方部で前記蓋体を押動して開放する構造の万年筆であって、
前記蓋体の裏面に、前記筆記体が前進する際に前記ペン芯が当接する突出部を設けたことを特徴とした万年筆。」である。
【０００７】
蓋体の裏側に設ける突出部は、筆記体が前進する際に、突出部とペン芯とを摺接させことで、ペンポイントを蓋体に摺接させない形態とすればよく、形状や大きさや材質に限定はないが、金属製の板状の蓋体をプレス成形して一体で突出部を形成することにより、気密性が高い蓋体を簡単な構造で得ることが可能となる。
【発明の効果】
【０００８】
本発明によれば、蓋体に対してペンポイントが摺接しない構造の開閉蓋付の万年筆を得ることができる。
【図面の簡単な説明】
【０００９】
【図１】図１は、本実施例の万年筆を示す縦断面図である。
【図２】図２は、要部拡大図である。
【図３】図３は、図２の内部を前方から見た図である。
【図４】図４は、図２のＡ−Ａ線断面図である。
【図５】図５は、ペン先が没入した状態を示す前方断面図である。
【図６】図６は、ペン先が没入した状態における後方断面図である。
【図７】図７は、ペン先が突出した状態における後方断面図である。
【図８】図８は、ペン先が突出していく第一の状態を示す前方断面図である。
【図９】図９は、ペン先が突出していく第二の状態を示す前方断面図である。
【図１０】図１０は、ペン先が突出していく第三の状態を示す前方断面図である。
【図１１】図１１は、ペン先が突出した状態を示す前方断面図である。
【発明を実施するための形態】
【００１０】
次に図を用いて、本実施例の万年筆について説明を行う。
本実施例では、ペン先がある方を前方と表現し反対側を後方と表現する。
図１は、本実施例の万年筆を示す縦断面図で、図２は、要部拡大図である。図３は、図２の内部を前方から見た図で、図４は、図２のＡ−Ａ線断面図である。図５は、ペン先が没入した状態における前方断面図であり、図６は、ペン先が没入した状態における後方断面図である。
【００１１】
万年筆１は、前軸２と後軸３とを螺合した軸筒４の後方部にノック体５を配設し、ペン先６の後方にインキタンク７を備えた筆記体８を内部に収容している。
前軸２の前方部には先端開口９ａを有する先端カバー９を固設し一体としてある。
また、先端カバー９の内側となる前軸２の前方部には中空パイプ１０を装着してあり、中空パイプ１０の前方には弾性を有し前後が開口する弾性先首１１を装着し、弾性先首１１の前端傾斜面１１ａを押さえバネ１２により弾発された蓋体１３で密閉してある。
尚、筆記体８は前軸２の内部に配設したスプリング１４により後方へ弾発されている。スプリング１４は、筆記体８の外段８ａと前軸２の内段２ａとの間に配設してある。
【００１２】
図に示す通り、本実施例の万年筆１は、押さえバネ１２として捻りコイルバネを使用している。押さえバネ１２は、第一アーム１２ａを蓋体１３の係止部１３ａに係止してあり、コイル部１２ｂを蓋体１３の支持部１３ｂと共に中空パイプ１０に固設した軸棒１５で軸着してあり、第二アーム１２ｃを中空パイプ１０の側面に当接させている。
【００１３】
後軸３の後端開口部３ａより突出したノック体５は、有底の薄肉の金属材からなるノックカバー１６を両端が開口した筒状の樹脂材からなるノック部材１７に被着してある。また、ノック部材１７の内部には、筆記体８の後端に当接したスライダ１８を摺動可能に配設してあり、スライダ１８とノック部材１７との間にはバネ１９を配設し双方が離間する方向へ弾発してある。尚、スライダ１８は後端に凸部１８ａを形成しノック部材１７の内面には凸部１７ａを形成して当接するようにしてある。
【００１４】
また、ノック部材１７には、前端部に第一大径部１７ｂを形成し、ノック体５を軸筒４に配設した状態で後軸３の内側となる位置に第二大径部１７ｃを形成し、後端部に薄肉の第三大径部１７ｄを形成してある。図に示すようにノック部材１７とノックカバー１６とは、ノックカバー１６の内面１６ａにノック部材１７の第二大径部１７ｃと第三大径部１７ｄとが密接するように圧入してある。尚、ノックカバー１６を装着した状態でノック部材１７の第一大径部１７ｂはノックカバー１６の前端から突出している。また、ノック部材１７の第一大径部１７ｂの外面には円周状の溝部１７ｅを設けてあり、溝部１７ｅにはＯリング２０を嵌着してある。図に示すように、スプリング１４で弾発された筆記体８に当接したスライダ１８とバネ１９の弾発力によりノック体５が後退し、後軸４の後部内面４ａにＯリング２０が密着した状態となっている。
【００１５】
図７は、ノック体をノック操作したときの後部拡大図である。図に示すように軸筒４の後部にあるノック体５を前方へ押圧することにより、詳述はしないが、軸筒内に配した回転カム機構（図示せず）が作動して、筆記体８のペン先６が前方移動しながら蓋体１３が軸棒１５を軸心に回転して開かれる（図１１参照）。
【００１６】
図１１を用いて前記操作時における万年筆の前方部を説明すると、筆記体８のペン先６の前方移動によって弾性先首１１の前端傾斜面１１ａを密閉していた蓋体１３が開かれ、先端カバー９の先端開口９ａからペン先６が突出される。この時、スプリング１４は、前軸２の内面に形成した突部２ａと筆記体８の段部８ａとの間で圧縮される。
【００１７】
再度ノック体５をノック操作することにより、ペン先６は先端開口９ａに没入し、押さえバネ１２の弾発力により蓋体１３がニトリルゴムからなる弾性先首１１の傾斜前端面１１ａに密接して軸筒を密閉する（図２、図５参照）。
【００１８】
本実施例のペン先６は、ペン６１とペン芯６２とで構成し、ペン６１の先端には、ビッカース硬さが７００ＨＶのオスミウム基合金で成形したペンポイント６１ａを設けてあり、耐摩耗性を向上させている。また、蓋体１３の裏面１３ｃには、筆記体８が前進する際にペン芯６２が当接する突出部１３ｄを設けてあり、筆記体８が前進する際には、ペンポイント６１ａが蓋体１３の裏面１３ｃに摺接することなく、ペン先６を先端開口２１ａから突出させることができる。
本実施例の突出部１３ｄは、ビッカース硬さが２００ＨＶのステンレスで成形した板状の蓋体１３をプレス成形で一体成形しており、突出部１３ｄの後方及び前方は、ペン芯６２が摺接しやすいように、後方傾斜面１３ｅ及び前方傾斜面１３ｆを設けてある。
【００１９】
具体的に、ペン先６が没入状態から突出状態になるまでの過程を、図５及び図８〜図１１を用いて説明すると、図５に示すように、ペン先６が完全に軸筒４内に没入した状態（ノック体５が図６の状態）では、ペン先６のペン６１及びペン芯６２は、蓋体１３の裏面１３ｃから離間した状態であり、ノック体５を前進させることで、ペン先６が徐々に前進し、図８に示したペン先が突出していく第一の状態となり、図９に示したペン先が突出していく第二の状態となり、図１０に示したペン先が突出していく第三の状態となり、図１１のペン先が突出した状態（ノック体５が図７の状態）となる。
【００２０】
さらに前記過程を詳述すると、図８では、蓋体１３の突出部１３ｄがペン芯６２の前方部６２ａに当接しており、図９では、蓋体１３の突出部１３ｄ及び裏面１３ｃがペン芯６２の前方部に当接しており、図１０では、蓋体１３の前端部に形成された折返部１３ｇがペン芯６２の前方部に当接しており、図１１では、蓋体１３の前端部に形成された折返部１３ｇがペン芯６２の中間部に当接している。
【００２１】
尚、前述の通りペン先６が前進して突出する際には、図５、図８、図９、図１０の順序で前進するが、ペンポイント６１ａが蓋体１３の裏面１３ｃに摺接することがないため、蓋体１３の裏面１３ｃが削れてしまうことがなく、蓋体１３と弾性先首１１とによる気密性が悪くなることもない。
また、突出したペン先６が後退して没入する際には、図１０、図９、図８、図５の順序で後退するが、ペンポイント６１ａが蓋体１３に触れることがないため、ペンポイント６１ａが蓋体１３に引っ掛かることで、操作が滑らかでなくなってしまうことがない。
【符号の説明】
【００２２】
１…万年筆、
２…前軸、２ａ…内段、
３…後軸、３ａ…後端開口部、
４…軸筒、４ａ…後部内面、
５…ノック体、
６…ペン先、６１…ペン、６１ａ…ペンポイント、６２…ペン芯、６２ａ…前方部、
７…インキタンク、
８…筆記体、８ａ…外段、
９…先端カバー、９ａ…先端開口、
１０…中空パイプ、
１１…弾性先首、１１ａ…前端傾斜面、
１２…押さえバネ、１２ａ…第一アーム、１２ｂ…コイル部、１２ｃ…第二アーム、
１３…蓋体、１３ａ…係止部、１３ｂ…支持部、１３ｃ…裏面、１３ｄ…突出部、１３ｅ…後方傾斜面、１３ｆ…前方傾斜面、１３ｇ…折返部、
１４…スプリング、
１５…軸棒、
１６…ノックカバー、１６ａ…内面、
１７…ノック部材、１７ａ…凸部、１７ｂ…第一大径部、１７ｃ…第二大径部、１７ｄ…第三大径部、１７ｅ…溝部、１７ｆ…最大径部、
１８…スライダ、１８ａ…凸部、
１９…バネ、
２０…Ｏリング。
【図１】
2018167472.tif 000003
【図２】
2018167472.tif 000004
【図３】
2018167472.tif 000005
【図４】
2018167472.tif 000006
【図５】
2018167472.tif 000007
【図６】
2018167472.tif 000008
【図７】
2018167472.tif 000009
【図８】
2018167472.tif 000010
【図９】
2018167472.tif 000011
【図１０】
2018167472.tif 000012
【図１１】
2018167472.tif 000013